(57)【特許請求の範囲】
【請求項１】
第１の本体と第２の本体とがヒンジにより連結され該第１、第２の本体の開閉を検出して開閉出力信号を発生する開閉検出手段を備えた折畳型携帯電話無線装置において、前記開閉検出手段から発生する開閉出力信号により作動して前記第１、第２の本体の開閉回数をカウントするカウンタ回路と、該カウンタ回路の開閉動作回数が設定された回数に達したときに表示部に隠し画面を表示する隠し画面表示手段と、特定コマンド入力手段と、該特定コマンド入力手段により特定コマンドが入力された際に表示部の表示画面を前記カウンタ回路のカウント数を表示するカウント表示に切り替える表示切替手段と、該表示切替手段により表示画面をカウント表示に切り替え設定したときに、該無線装置の開閉動作を行う毎に前記画面表示中のカウント数が上昇し、該無線装置の累計開閉回数を前記表示画面に表示することを特徴とした折畳型携帯電話無線装置。
【請求項２】
前記開閉手段は、前記第１の本体の表示側基板に設けられたマグネットと、前記第２の本体のキーボタン側基板の前記マグネットの配設位置と対応する位置に形成されたホールＩＣとで形成されることを更に特徴とする請求項１に記載の折畳型携帯電話無線装置。
【請求項３】
前記ホールＩＣを除去し、該ホールＩＣの代わりにリードスイッチを設けたことを更に特徴とする請求項２に記載の折畳型携帯電話無線装置。
【請求項４】
前記開閉検出手段は、前記第１の本体に設けられた突起と、前記第２の本体の該突起と対応する領域に形成された接点とにより構成されることを更に特徴とする請求項１に記載の折畳型携帯電話無線装置。
【請求項５】
前記第１の本体の表示側基板にイルミネーション照光部とイルミネーション部とを設け、前記イルミネーション照光部を点灯・点滅させることにより前記イルミネーション部を特定のパターン・色調で点灯・点滅させることを更に特徴とする請求項１〜４のいずれか一項に記載の折畳型携帯電話無線装置。
【発明の詳細な説明】
【０００１】
【発明の属する技術分野】
本発明は、開閉カウンタ回路を備えた折畳型携帯電話無線装置に関し、特に、折畳型携帯電話無線装置の通常使用においてユーザが行う動作である開閉動作に付加機能を設けることで、エンドユーザの所有満足度を向上させることを目的とすると共に、エンドユーザだけでなく、製造メーカ側においても、クレーム品として戻入された装置の使用頻度調査への活用及び開閉試験を実施する際における作業性、評価効率の向上を図ることができる折畳型携帯電話無線装置に関するものである。
【０００２】
【従来の技術】
折り畳み状態検出機構を有する無線電話機では、折り畳み可能な２個の筐体の閉じた場合と開いた場合とが存在し、この折り畳み可能な２個の筐体の閉じた場合に電源を断続させ、間欠受信によってこの無線電話機の低消費電力化を計っている。
【０００３】
また小型化が要求される機器の１つである磁気ディスク装置は、ディスク上に設けた書き込み防止用スイッチの位置を磁石と磁気センサとで検出するものが知られている。
【０００４】
この磁気ディスク装置では、ディスク上の書き込み防止用スイッチの位置を機械が受け、その機械上に存在する磁石が物理的に位置移動し、磁石の移動による磁場変化を別の部品上に設けた磁気センサであるホール素子の電圧出力レベル変化でとらえて上記スイッチの位置を判断している。位置移動する前には、スイッチが磁気ホール素子に近づいていないために、ホール素子の出力電圧は０であるが、磁石がホール素子に近づくと、磁界強度に応じた電圧がホール素子から出力されてスイッチの位置が移動していることがわかる。
【０００５】
このように、磁気センサを用いて部品の位置移動を検出する場合には、磁石と磁気センサとを別々の部品に配置し、装置の使用状態によって互いの部品位置関係が変化することにより磁気センサの出力が変化し、この出力値から装置の使用状態を判断している。この位置移動検出回路は、磁気センサが移動部品に非接触であるために安定動作が期待できるという利点がある。
【０００６】
またやはり小型化が求められるビデオカメラ等の一部をなす装置の絞り値検出装置は、絞りを変化させると磁石のついたマグネットロータの位置が変化する機構になっている。この装置では、磁石の移動をホール素子がとらえることによってこのホール素子の出力電圧が変化し、この出力電圧の変化をＡ／Ｄコンバータでディジタル値に変換してビューファインダへの表示値等に利用する。
【０００７】
なお、上記ディジタル値はホール素子のばらつきによって変化するので、この装置では、量産時には生産工程おいてマグネットロータの位置を固定し、その時に一定のディジタル値が得られるようにＤ／Ａコンバータ出力でホール素子の電源電圧を調整し、その時のＤ／Ａコンバータへの設定値をＥＥ−ＰＲＯＭ（不揮発性メモリ）に保存する。即ち、この装置は、磁気センサ出力の処理方法および量産性が考慮されており、生産時における上記ディジタル値のばらつきが吸収できる構成となっている。
【０００８】
先行技術の折畳型携帯電話無線機は、例えば、特開平７−１５４９３号公報、特開平８−２７９０２６号公報、特開平９−１６６４０５号公報、特開２００１−２５７７５４号公報、または本出願と同一出願人による特願２０００−３０４２８３号明細書、特願２０００−３１３７５１号明細書等に開示されているように、ヒンジにより連結された２個の筐体部の開閉を検出し、例えば、実開昭６０−８７０８９号公報、実開平５−５８４８３号公報、特開昭６１−８６７９５号公報、特開２０００−６９１４２号公報、特開２０００−２４５０９２号公報、特開２０００−３３９４８４号公報等に開示されている如く、照明の点灯・消灯を行う回路のみを有しているが、エンドユーザの使用頻度に応じた付加価値等は備えておらず、通常の携帯電話無線機としての機能のみを果たしていた。
【０００９】
また、製造メーカとして、エンドユーザの故障戻入品に関し、使用開始日から故障日までの使用期間については情報を得ることができるが、各携帯電話無線機毎の使用頻度までの情報を得ることはできなかった。
【００１０】
また、特開平６−１７８４４０号公報には、電磁接触器の開閉回数及び通電時間を累積し、その累積開閉回数及び累積通電時間を表示器に表示する制御を行う負荷制御装置が開示されている。
【００１１】
更にまた、特開２０００−３０５６８４号公報には、電子機器に設けられている操作手段の機能および操作方法をディスプレイ画面上に表示するヘルプ表示方法であって、ユーザが操作手段のうち特定の操作手段の操作を試みる回数を常時カウントしておき、ユーザが他の操作手段を操作しないうちに、特定操作手段の操作回数が所定回数に達したときに、前記特定操作手段の機能および操作方法を説明するヘルプを表示し、これによって、ユーザは、前記特定操作手段の機能および操作方法を容易かつ迅速に習得することを可能とした技術が開示されている。
【００１２】
【発明が解決しようとする課題】
しかしながら、叙上の如く、先行技術による折畳型携帯電話無線機は、エンドユーザの使用頻度に応じた付加価値などはなく、通常の携帯電話無線機としての機能のみを果たしていた。
【００１３】
また、製造メーカとして、エンドユーザの故障戻入品に関し、使用開始日から故障日までの使用期間については情報を得ることができるが、各携帯電話無線機毎の使用頻度までの情報を得ることはできなかった。
【００１４】
本発明は従来の上記実情に鑑みてなされたものであり、従って本発明の目的は、エンドユーザに対する使用頻度に応じた付加価値を持たせることができ、且つ製造メーカとしても有益な、各携帯電話無線機毎の使用頻度の情報を得ることができる機能を備えることを可能とした新規な折畳型携帯電話無線装置を提供することにある。
【００１５】
【課題を解決するための手段】
本発明に係る折畳型携帯電話無線装置は、第１の本体と第２の本体とがヒンジにより連結され該第１、第２の本体の開閉を検出して開閉出力信号を発生する開閉検出手段を備えた折畳型携帯電話無線装置において、前記開閉検出手段から発生する開閉出力信号により作動して前記第１、第２の本体の開閉回数をカウントするカウンタ回路と、該カウンタ回路の開閉動作回数が設定された回数に達したときに表示部に隠し画面を表示する隠し画面表示手段とを備えて構成される。
【００１６】
本発明に係る折畳型携帯電話無線装置はまた、ヒンジにより連結された第１の本体と第２の本体の開閉を検出して開閉出力信号を発生する開閉検出手段を備えた折畳型携帯電話無線装置において、前記開閉検出手段から発生する開閉出力信号により作動して前記第１、第２の本体の開閉回数をカウントするカウンタ回路と、特定コマンド入力手段と、該特定コマンド入力手段により特定コマンドが入力された際に表示部の表示画面を前記カウンタ回路のカウント数を表示するカウント表示に切り替える表示切替手段とを備えて構成される。
【００１７】
また本発明に係る折畳型携帯電話無線装置は、第１の本体と第２の本体とがヒンジにより連結され該第１、第２の本体の開閉を検出して開閉出力信号を発生する開閉検出手段を備えた折畳型携帯電話無線装置において、前記開閉検出手段から発生する開閉出力信号により作動して前記第１、第２の本体の開閉回数をカウントするカウンタ回路と、該カウンタ回路の開閉動作回数が設定された回数に達したときに表示部に隠し画面を表示する隠し画面表示手段と、特定コマンド入力手段と、該特定コマンド入力手段により特定コマンドが入力された際に表示部の表示画面を前記カウンタ回路のカウント数を表示するカウント表示に切り替える表示切替手段とを備えて構成される。
【００１８】
前記表示切替手段により表示画面をカウント表示に切り替え設定したときに、該無線装置の開閉動作を行う毎に前記画面表示中のカウント数が上昇し、該無線装置の累計開閉回数を前記表示画面に表示することを特徴としている。
【００１９】
前記開閉手段は、前記第１の本体の表示側基板に設けられたマグネットと、前記第２の本体のキーボタン側基板の前記マグネットの配設位置と対応する位置に形成されたホールＩＣとで形成することができる。
【００２０】
前記ホールＩＣを除去し、該ホールＩＣの代わりにリードスイッチを設けて構成することもできる。
【００２１】
前記開閉検出手段は、前記第１の本体に設けられた突起と、前記第２の本体の該突起と対応する領域に形成された接点とにより構成することもできる。
【００２２】
前記第１の本体の表示側基板にイルミネーション照光部とイルミネーション部とを設け、前記イルミネーション照光部を点灯・点滅させることにより前記イルミネーション部を特定のパターン・色調で点灯・点滅させることができる。
【００２３】
【発明の実施の形態】
次に、本発明をその好ましい一実施の形態における各実施例について図面を参照しながら詳細に説明する。
【００２４】
【第１の実施例】
図１は、本発明による一実施の形態における第１の実施例を示す分解斜視図である。
【００２５】
【第１の実施例の構成】
図１を参照するに、本発明による一実施の形態の第１の実施例は、図１に示すように、折畳型携帯電話無線機１の表示側基板Ａ２上に、表示部３、マグネット４を有し、キーボタン側基板Ｂ５上に、ホールＩＣ６、カウンタ回路７を有する。
【００２６】
図１において、更に詳しく説明するに、折畳型携帯電話無線機１は、上側本体２と下側本体５とから構成され、上側本体２と下側本体５とがヒンジ９により開閉自在に形成されている。
【００２７】
上側本体２にはアンテナ８を有する表覆蓋２’が図示しないネジにて固定され、下側本体５には裏覆蓋５’が図示しないネジにて固定されている。
【００２８】
上側本体２と表覆蓋２’との間には表示部３を有する表示側の基板Ａ２が図示しないネジにて上側本体２に固定され、下側本体５と裏覆蓋５’との間にはキーボタン側の基板Ｂ５を有し、図示しないネジにて下側本体５に固定されている。
【００２９】
【第１の実施例の動作】
次に、本発明による一実施の形態における第１の実施例の動作について説明する。
【００３０】
図２に示すように、折畳型携帯電話無線機１の通常の使用動作である開動作を行うことで、マグネット４がホールＩＣ６から遠ざかり、開状態が認識される。また、閉動作を行うことで、マグネット４がホールＩＣ６に近付き、折畳型携帯電話無線機１の閉状態が認識される。
【００３１】
この「開閉動作の回数」がカウンタ回路７によりカウントされる。カウンタ回路７によりカウントされた回数が、設定された回数に達すると、表示部３に図３（ａ）に示すような隠し画面が表示される。
【００３２】
即ち、図３（ａ）には表示例１としてカウント回数“１００００回！”に達したとする“シヤンパン”が開けられた表示がされ、表示例２として、”Ｃｏｎｇｒａｔｕｌａｔｉｏｎｓ！“の花火が表示された例が示されている。
【００３３】
この動作のフローチャートを図４に示す。
【００３４】
ここで、本発明による一実施の形態における第１の実施例の第１の特徴について図４を参照して詳細に説明する。
【００３５】
図４は本発明による第１の実施例における第１の特徴を説明する処理動作のフローチャートである。
【００３６】
図４を参照するに、処理ステップＳ１において、本発明に係る折畳型携帯電話無線機１の開閉動作が実行される際には、表覆蓋２’と上側本体２との間に介装されている表示側基板Ａ２に装着されたマグネット４が、下側本体５と裏覆蓋５’との間に介装されているキーボタン側基板Ｂ５に装着されたホールＩＣ６と接離する。
【００３７】
ステップＳ１の処理の結果、ステップＳ２において、ホールＩＣ６が折畳型携帯電話無線機１の開閉を検出し、ステップＳ３において、キーボタン側基板Ｂ５に配設されているカウンタ回路７は開閉回数をカウントする。
【００３８】
次にステップＳ４において、カウンタ回路７による「開」の回数が設定回数に到達したか否かが判断される。
【００３９】
ステップＳ４の判断の結果、設定回数（本実施例では“１００００”回）に達したと判断された（Ｙｅｓ）場合には、ステップＳ５に進み、図３（ａ）に示されるような隠し図面（表示例１、２あるいはそれ以外の他の例）が表示部３に表示される。
【００４０】
ステップＳ４による判断の結果、設定回数に達していないと判断された（Ｎｏ）場合には、ステップＳ６に進み、表示部３に設定待受け画面の表示がなされる。
【００４１】
ステップＳ５、Ｓ６の処理の後では、リターン処理がなされ、ステップＳ１の開閉動作処理に戻される。
【００４２】
ステップＳ２にホールＩＣ６による開閉の検出がなされた場合には、ステップＳ７による表示部の照明の点灯・消灯及びステップＳ８によるキー照光部の点灯・消灯が実行される。
【００４３】
ここで、本発明の第２の特徴である特定コマンドをキーボード１０の特定された機能キーボタンを押圧する。この特定コマンドを入力することで、表示部３の表示画面を、図３（ｂ）に示すようなカウント表示に切り替えられる。本表示画面に設定時には、開閉動作を行う度に画面表示中のカウント数が上昇し、折畳型携帯電話無線機１の累計開閉回数を表示する。
【００４４】
次に本発明による一実施の形態における第１の実施例の第２の特徴について図５を参照しながら詳細に説明する。
【００４５】
図５は本発明による一実施の形態の第１の実施例における第２の特徴を説明する処理動作のフローチャートである。
【００４６】
図５を参照するに、処理ステップＳ１１において特定コマンドが入力される。この特定コマンドの入力は、例えば、画面上に選択できる機能の一覧を表示したメニューの中にこの特定コマンドが示す新たな機能のメニューを設定しこのメニューを選択して実行するか、あるいはキーホード１０に特定コマンドに対応する機能キーボタンを設けることによって実現することができる。
【００４７】
ステップＳ１１で特定コマンドが入力されると、ステップＳ１２において、例えば図３（ｂ）に示されるようなカウント画面表示がなされる。
【００４８】
次に、ステップＳ１３において無線装置筐体の開閉動作がなされると、図４に示されているフローと同様にステップＳ１４においてホールＩＣ６によってその開閉の検出が行われると共にカウンタ回路７による開閉回路の開閉回数のカウントがなされ、そのカウント値はステップＳ１２に戻されてカウント画面の表示が実行される。
【００４９】
ステップＳ１５の表示部照明の点灯・消灯およびステップＳ１６のキー照光部の点灯・消灯およびステップＳ１７による隠し画面の表示は前述した図４と同様である。
【００５０】
【第２の実施例】
図６は、本発明による一実施の形態における第２の実施例を示す斜視図である。
【００５１】
図６において、折畳型携帯電話無線機１のキーボタン側基板Ｂ５にリードスイッチ１３が形成されている。
【００５２】
図６に示すように、前述した第１の実施例のホールＩＣ６をリードスイッチ１３に変更することによって、第１の実施例とほぼ同様の効果を得ることができる。
【００５３】
【第３の実施例】
図７は、本発明による一実施の形態における第３の実施例を示す斜視図である。
【００５４】
図７を参照するに、下側本体５の適宜の部分にはカウンタ回路７と接点１７が設けられ、接点１７と対応する上側本体２には突起１１が形成されている。
【００５５】
図７に示すように、前述した第１の実施例のホールＩＣ６、マグネット４を接点１７及び上側本体（フロントケース）２に立設された突起１１に変更することにより、第１の実施例とほぼ同様の効果を得ることができる。
【００５６】
【第４の実施例】
図８は、本発明による一実施の形態における第４の実施例を示す分解斜視図、図９はその動作説明図である。
【００５７】
前述した第１の実施例の設定回数達成時に、折畳型携帯電話無線機１の表示部３に隠し画面を表示するだけでなく、図８に示すように、折畳型携帯電話無線機１のキーボタン側基板Ｂ５上のキーボタン照光部１２を点灯・点滅させ、キーボタン部１０を図９（パターン１、パターン２）に示すような特定のパターンで点灯・点滅させる。
【００５８】
この第４の実施例の動作により、更にユーザの所有満足度を向上させることができる。
【００５９】
【第５の実施例】
図１０は、本発明による一実施の形態における第５の実施例を説明する分解斜視図である。
【００６０】
図１０に示されるように、表覆蓋２’にイルミネーション部１５が設けられ、このイルミネーション部１５に対向する表示部３の部分にイルミネーション部１５を照光するイルミネーション照光部１４が設けられている。
【００６１】
前述した第１の実施例の設定回数達成時に、折畳型携帯電話無線機１の表示部３に隠し画面を表示するだけでなく、図１０に示すように、折畳型携帯電話無線機１の表示側基板Ａ２上のイルミネーション照光部１４を点灯・点滅させることで、イルミネーション部１５を特定のパターン・色調で点灯・点滅させる。
【００６２】
この第５の実施例の動作により、更にユーザの所有満足度を向上させることができる。
【００６３】
【第６の実施例】
図１１は、本発明による一実施の形態における第６の実施例を示す斜視図である。
【００６４】
図１１において、フリップ型携帯電話無線機１６のキーボタン部における適宜の領域にカウンタ回路７、ホールＩＣ６が形成され、フリップ型携帯電話無線機１６の下部にヒンジで連結された部材のホールＩＣ６に対応する位置にマグネット４が設けられている。
【００６５】
本発明は、折畳型携帯電話無線機だけでなく、図１１に示すようなフリップ型携帯電話無線機１６についても同様な回路を構成することで、折畳型携帯電話無線機と同様の効果を得ることができる。
【００６６】
【発明の効果】
本発明は以上の如く構成され、作用するものであり、本発明によれば以下に示すような効果が得られる。
【００６７】
従来の折畳型携帯電話無線機には、開閉検出回路が内蔵されており、折畳型携帯電話無線機が開状態・閉状態において、表示部及びキー照明の点灯等を行っていた。
【００６８】
これに対して本発明は、既存の技術である開閉検出＋照明点灯に更に開閉回数をカウントする付加価値を設けることで、エンドユーザの所有満足度を向上させることができる。
【００６９】
また、本発明を使用することで、製造メーカにおいても、クレーム品として戻入された携帯電話無線機の使用頻度調査への活用及び開閉試験実施時の作業性、評価効率の向上を計ることができる。
【図面の簡単な説明】
【図１】本発明による一実施の形態における第１の実施例を示す分解斜視図である。
【図２】本発明による一実施の形態における第１の実施例において装置を開いて内部の要部を示す斜視図である。
【図３】（ａ）、（ｂ）は上記第１の実施例における表示部に表示される表示図面の表示例を示す図である。
【図４】上記第１の実施例における第１の特徴の動作フローを示すフローチャートである。
【図５】上記第１の実施例における第２の特徴の動作フローを示すフローチャートである。
【図６】本発明による一実施の形態における第２の実施例を示す斜視図である。
【図７】本発明による一実施の形態における第３の実施例を示す斜視図である。
【図８】本発明による一実施の形態における第４の実施例を示す分解斜視図である。
【図９】上記第４の実施例における表示画面の例を示す図である。
【図１０】本発明による一実施の形態における第５の実施例を示す概略分解斜視図である。
【図１１】本発明による一実施の形態における第６の実施例を示す分視図である。
【符号の説明】
１…折畳型携帯電話無線機
２…上側本体
２’…表覆蓋
３…表示部
４…マグネット
５…下側本体
５’…裏覆蓋
６…ホールＩＣ
７…カウンタ回路
８…アンテナ
９…ヒンジ
１０…キーボタン部
１１…突起
１２…キー照光部
１３…リードスイッチ
１４…イルミネーション照光部
１５…イルミネーション部
１６…フリップ型携帯電話無線機
１７…接点
【図１】
0003808396.tif 000002
【図２】
0003808396.tif 000003
【図３】
0003808396.tif 000004
【図４】
0003808396.tif 000005
【図５】
0003808396.tif 000006
【図６】
0003808396.tif 000007
【図７】
0003808396.tif 000008
【図８】
0003808396.tif 000009
【図９】
0003808396.tif 000010
【図１０】
0003808396.tif 000011
【図１１】
0003808396.tif 000012